(57)【要約】【解決手段】垂直方向の支柱ｂに片持ち形式で、しかも、不使用時（収納時）使用時との間で前記支柱ｂに対して起倒自在に腰掛座１を取り付ける。少なくとも着座時においてこの腰掛座１を前記支柱ｂに片持ち支持させ得る手段として、前記支柱ｂに左右二つ割りの筒体１０，１０を抱き合わせるように装着し、その正面側と背面側である対向両外面に円弧状のガイド溝１０ａ，１０ａを形成する。そして、腰掛座１の腕１１ａ，１１ａに突起１１ｂ，１１ｂを形成し、各突起１１ｂ，１１ｂを前記ガイド溝１０ａ，１０ａに嵌合させてその中を摺動させる。【効果】腰掛座１の腕１１ａ，１１ａを介して円弧状のガイド溝１０ａ，１０ａで腰掛座１の荷重を支えることができる。支柱ｂに装着されている筒体１０，１０の外周面上を腰掛座１の腕１１ａが摺動するように設計できるから、腰掛座１を折り畳む際に手指をはさむ危険がない。【選択図】  図８
2004357854.tif 000002
【特許請求の範囲】
【請求項１】
垂直方向の支柱ｂに片持ち形式で、しかも、不使用時（収納時）と使用時との間で前記支柱ｂに対して起倒自在に腰掛座１を取り付けるとともに、少なくとも着座時においてこの腰掛座１を前記支柱ｂに片持ち支持させ得る手段として、前記支柱ｂに抱き合わせるように筒体を装着し、前記支柱ｂで腰掛座１の荷重を直接支えるのではなく、この支柱ｂに装着されている前記筒体の一部で腰掛座１の荷重を支えることを特徴とする腰掛。
【請求項２】
筒体が左右二つ割りになっており、個々の半筒体で腰掛座１の荷重を支えることを特徴とする請求項１記載の腰掛。
【請求項３】
筒体が正面外突弧状に膨らんでおり、外突弧状のこの外周面上を摺動させ得る腰掛座１の腕を介して前記外周面で腰掛座１の荷重を支えることを特徴とする請求項１又は２記載の腰掛。
【請求項４】
筒体の対向両面に円弧状のガイド溝が形成されており、円弧状のこのガイド溝に嵌合されていてその中を摺動させ得る突起を有する腰掛座の腕を介して円弧状のガイド溝で腰掛座１の荷重を支えることを特徴とする請求項１又は２記載の腰掛。
【請求項５】
筒体のうち少なくとも支柱ｂと当接する部分が粘着性を有する材料で形成されていることを特徴とする請求項１〜４のいずれかに記載の腰掛。
【請求項６】
左右二つ割りの筒体が内筒とこの内筒に抱き合わせるように装着させ得る外筒とからなり、前記内筒側の二つ割り位置と前記外筒側の二つ割り位置とが左右方向にずらせてあることを特徴とする請求項２〜５のいずれかに記載の腰掛。
【請求項７】
支柱ｂに抱き合わせるように装着されている左右二つ割りの筒体間に、両筒体を締め付ける方向の力を付与するためのバネを配置したことを特徴とする請求項２〜６のいずれかに記載の腰掛。
【請求項８】
円弧状のガイド溝の外周面側の一部に、内側に突出するカム面を形成したことを特徴とする請求項４記載の腰掛。
【請求項９】
カム面に、円弧状のガイド溝に嵌合されていてその中を摺動させ得る突起が嵌まる窪みが形成されていることを特徴とする請求項８記載の腰掛。
【請求項１０】
二つ割りである筒体の対向両面の外側に延び出させた腰掛座の腕の内面であって、前記筒体に対する腕の回転中心付近にガイド用の窪みを形成し、この窪み内に前記腕の回転中心としての突部軸を嵌め込んだことを特徴とする請求項４記載の腰掛。
【請求項１１】
窪みの内壁面の一部を内方に突出させ、この突出部を筒体の対向両面に形成されていてガイド用の窪み内に嵌め込まれている突部軸間に係入させ得るようにしたことを特徴とする請求項４又は１０記載の腰掛。
【請求項１２】
垂直方向の支柱ｂとこの支柱ｂに抱き合わせるように装着させ得る筒体の内周面を横断面真円形とし、前記筒体と前記筒体の一部で支えられる腰掛座１とを、前記支柱ｂに対して回動自在としたことを特徴とする請求項１、５もしくは７のいずれかに記載の腰掛。
【請求項１３】
垂直方向の支柱ｂは、家屋の柱Ｆと柱Ｆ間の壁面に横方向に渡し掛けた歩行補助手すりＧにＴ型ジョイントその他の接続具Ｈを用いて接続されており、しかも、支柱ｂの下端は壁面Ｃもしくは床面Ｄに固定されていることを特徴とする請求項１、５、７もしくは１２のいずれかに記載の腰掛。
【発明の詳細な説明】
【０００１】
【発明の属する技術分野】
本発明は、屋内である部屋や階段の壁その他の場所に取り付けられる一本の手すり、歩行補助手すり、あるいは、連続手すりの垂直方向の支柱や、公園、駅、バスの停留所その他の公共施設など屋外における垂直方向の支柱を利用してそれに取り付けることができる折り畳み可能な腰掛に関するものである。
【０００２】
【従来の技術】
従来から、屋内である部屋や階段の壁その他の場所に、一本の手すりや歩行補助手すりを取り付けたり、連続手すりを取り付けることが行われている。このような手すりが玄関先にまで配置されている場合もある。
また、公園、駅、バスの停留所その他の公共施設など屋外においても、各種の手すりが配置されている場合がある。
【０００３】
【発明が解決しようとする課題】
このような手すりを利用する人は高齢者が多いと思われるが、その付近に座って一休みできれば、高齢者にとっては極めて有り難い。また、玄関先などで靴を履く場合や衣類を着用する場合に、簡単な腰掛があれば便利である。
このような場合には、補助腰掛と称される腰掛とするのが都合が良い。腰掛を倒すことで使用でき、逆に、邪魔にならないように折り畳んで収納しておくことができるからである。
【０００４】
玄関先に設置される補助腰掛として種々のものが開発されているが、大掛かりなものが多い。例えば、玄関先の壁に折り畳み可能な補助腰掛を直接取り付けたものや、玄関先の壁に大きな窪みを形成しておいてその窪み内に納まるように折り畳み可能な補助腰掛を配置したもの（埋め込み式）などがある。収納時それが見えないように、折り畳まれた腰掛の一部で収納後の開口面を覆うようにしたものもあり、いずれも大掛かりなものばかりである。
【０００５】
一方、公園、駅、バスの停留所その他の公共施設など屋外用の腰掛としては、いわゆるベンチや長椅子を挙げることができるが、一定の設置面積を必要とするため、歩道など設置場所によっては邪魔になる場合もある。
この欠点を解消するために、折り畳み可能な屋外用の腰掛も開発されている（例えば、特許文献１参照）。
【０００６】
【特許文献１】
特開２０００−２２９０１９号公報（特に、図６〜図９）
【０００７】
しかしながら、これらの腰掛はいずれも重い腰掛座を支えようとするものであって、そのために腰掛座を両端支持で支える形式が採られている。また、この重い腰掛座を折り畳むことができるように、中空状のパイプ内に本格的な折り畳み機構を内蔵させており、極めて複雑な構造となっている。
【０００８】
このようなことから、屋内の場合には、部屋や階段の壁その他の場所に配置されている一本の手すり、歩行補助手すり、あるいは、連続手すりの垂直方向の支柱に、また、屋外の場合には、屋外に配置されている各種の手すりの垂直方向の支柱に、いずれも容易に取り付けることができる補助腰掛があれば便利であり、不使用時には折り畳んで収納しておくことができ、しかも、全体として簡単な構造のものであることが好ましい。
【０００９】
このような要望に応えるものとして、本発明者らのグループは、垂直方向の支柱に片持ち形式で、しかも、不使用時（収納時）と使用時との間で前記支柱に対して起倒自在に腰掛座を取り付けるとともに、少なくとも着座時においてこの腰掛座を前記支柱に片持ち支持させ得る手段を備えたものを開発し、すでに出願を済ませている（特願２００２−３３９６４０号、出願日：平成１４年１１月２２日）。
【００１０】
先に開発されたこの腰掛は、屋内、屋外の各種の手すりの垂直方向の支柱ｂ’に片持ち形式で腰掛座ａ’を容易に取り付けることができるものである。そして、少なくとも着座時においてこの腰掛座ａ’を支柱ｂ’に片持ち支持させるための基本原理は、図１５に示すように、腰掛座ａ’に垂直方向の支柱ｂ’を貫通させ得る孔を形成するとともに、この孔の右上部と左下部とを残して他の部分を切り欠き、支柱ｂ’に相対する二つの壁面Ｐ１，Ｐ２で支柱ｂ’と直接係合させ、着座時において片持ち形式の腰掛座ａ’に掛かる力をこれらの面Ｐ１，Ｐ２で直接支えるようにしたものである。
【００１１】
この場合でも、垂直方向の支柱ｂ’に片持ち形式で腰掛座ａ’を容易に取り付けることができ、少なくとも着座時においてこの腰掛座ａ’を支柱ｂ’に片持ち支持させることができる。
しかしながら、この場合には、支柱ｂ’で腰掛座ａ’の荷重を直接支えることになるから、支柱ｂ’がへこんだり変形しやすく、着座時においてきしむ音が発生しやすい。また、支柱ｂ’の外周面が変形していると、腰掛座ａ’の取付位置を変えるために腰掛座ａ’を支柱ｂ’に沿って上下動させる際がた付くので、問題である。さらに、腰掛座ａ’に垂直方向の支柱ｂ’を貫通させ得る孔を形成するとともに、この孔の右上部と左下部とを残して他の部分を切り欠くため、腰掛座ａ’を起こして折り畳む際に手指を詰める危険もある。
【００１２】
そして、かかる場合の最大の欠点は、木材のように面圧の低い材料（軟らかい材料）の場合支柱ｂ’に対する腰掛座ａ’の係合面（押付面）の面積、すなわち、前記壁面Ｐ１，Ｐ２の面積を大きくできないことである。この部分を大きくできないということは、腰掛座ａ’に大きな力が掛かった場合には支え切れないということであり、それを裏返していうと、腰掛座ａ’に余り大きな力を掛けることができないということになる。
【００１３】
【課題を解決するための手段】
本発明は、このような欠点を解消し得るようにさらに工夫を凝らしたものである。そして、この目的を達成するために、本発明では、垂直方向の支柱ｂに片持ち形式で、しかも、不使用時（収納時）と使用時との間で前記支柱ｂに対して起倒自在に腰掛座１を取り付けるとともに、少なくとも着座時においてこの腰掛座１を前記支柱ｂに片持ち支持させ得る手段として、前記支柱ｂに抱き合わせるように筒体を装着し、前記支柱ｂで腰掛座１の荷重を直接支えるのではなく、この支柱ｂに装着されている前記筒体の一部で腰掛座１の荷重を支えるようにしたものである。
【００１４】
垂直方向の支柱ｂに片持ち形式で腰掛座１を取り付けるために、屋内では、例えば、部屋や階段の壁その他の場所に配置されている手すりの垂直方向の支柱を利用することができる。歩行補助手すり、あるいは、連続手すりの垂直方向の支柱を利用してもよい。また、屋外では、屋外に配置されている各種の手すりの垂直方向の支柱を利用することができる。
このように、屋内、屋外の各種の垂直方向の支柱ｂに、片持ち形式で腰掛座１を容易に取り付けることができる。全体として極めて簡単な構造のものである。
【００１５】
そして、少なくとも着座時において、腰掛座１は前記支柱ｂに片持ち支持させ得る手段によって片持ち支持され、前記支柱ｂに対して固定状態にある。したがって、腰掛座１に座っても腰掛座１が滑り落ちることがなく、その使用に何ら支障はない。
この場合において、腰掛座１に掛かる荷重は、上述したように支柱ｂで直接支えるのではなく、支柱ｂに抱き合わせるように装着されている筒体の一部で支えることができる。そして、支柱ｂに装着されている筒体の外周面上を腰掛座１の腕が摺動するように設計できるから、腰掛座１を起こして折り畳む際に手指をはさむ危険もない。
なお、不使用時には、腰掛座１を起して折り畳んで収納しておくことができるから、極めて便利である。
【００１６】
筒体が左右二つ割りになっており、個々の半筒体で腰掛座１の荷重を支えるようにするのが好ましい。このようにすると、左右二つ割りの半筒体で受圧面積を大きくして腰掛座１の荷重が一点に掛かるのを軽減できる。
【００１７】
筒体が正面外突弧状に膨らんでおり、外突弧状のこの外周面上を摺動させ得る腕を介して前記外周面で腰掛座１の荷重を支えるようにするのが好ましい。このようにすると、腰掛座１に掛かる荷重は、上述したように支柱ｂで直接支えるのではなく、腕が摺動する筒体の外突弧状の外周面で支えることができる。
【００１８】
筒体の対向両面に円弧状のガイド溝が形成されており、円弧状のこのガイド溝に嵌合されていてその中を摺動させ得る突起を有する腰掛座の腕を介して円弧状のガイド溝で腰掛座１の荷重を支えるようにするのが好ましい。このようにすると、腰掛座１に掛かる荷重は、上述したように支柱ｂで直接支えるのではなく、腰掛座の腕に形成されている突起が嵌まっている円弧状のガイド溝で支えることができる。そして、この場合には、腰掛座の腕と支柱ｂに装着されている筒体との摺動機構が筒内にあるため、腰掛座の腕が動いても手指をはさむのを完全に防止できる。
【００１９】
筒体のうち少なくとも支柱ｂと当接する部分が粘着性を有する材料で形成しておくとよい。この場合には、支柱ｂに筒体が密着しやすくなり、それだけ滑りにくくすることができる。
【００２０】
左右二つ割りの筒体を内筒とこの内筒に抱き合わせるように装着させ得る外筒とからなるものとし、前記内筒側の二つ割り位置と前記外筒側の二つ割り位置とを左右方向にずらせておくとよい。
このようにすると、腰掛座１に掛かる荷重を内筒とこの内筒に抱き合わせるように装着されている外筒とに分散させて支えることができ、左右二つ割りである内筒と外筒とがいずれも外れにくいものとなる。
【００２１】
支柱ｂに抱き合わせるように装着されている左右二つ割りの筒体間に、両筒体を締め付ける方向の力を付与するためのバネを配置しておくのが好ましい。
このようにしておくと、このバネの引張力によって両筒体には締め付ける方向の力が付与されるから、両筒体の一部で支えられる腰掛座１が支柱ｂに沿って自重で滑り落ちることがない。
【００２２】
円弧状のガイド溝の外周面側の一部に、内側に突出するカム面を形成しておくとよい。このようにしておくと、円弧状のガイド溝内を摺動する突起を有する腕を動かすことにより、前記突起が内側に突出するカム面を押すから、支柱ｂに装着されている二つ割りの半筒体が押し広げられ、支柱ｂとの間に隙間が生じる。したがって、支柱ｂに装着されている二つ割りの半筒体を支柱ｂに沿って軽く上下動させることができる。
【００２３】
前記カム面には、円弧状のガイド溝に嵌合されていてその中を摺動させ得る突起が嵌まる窪みが形成されていることが望ましい。この窪みがカム面に形成されていると、円弧状のガイド溝に沿って腕を動かしたとき、この窪みの位置で一旦腕が止まり、折り畳み（収納）途中及び倒す途中のその位置で腰掛座が傾いた状態を保持できるので、上下動させるのに都合がよい。
【００２４】
二つ割りである筒体の対向両面の外側に延び出させた腰掛座の腕の内面であって、前記筒体に対する腕の回転中心付近にガイド用の窪みを形成し、この窪み内に前記腕の回転中心としての突部軸を嵌め込むとよい。
このようにした場合には、窪みの周壁と突部軸の一部とを、また、円弧状のガイド溝の外周面とその中を摺動する突起とを係合させることができる。したがって、折り畳んだ状態の腰掛座が倒れてくるのを防止できるとともに、折り畳んだ状態を保持できる。
【００２５】
窪みの内壁面の一部を内方に突出させ、この突出部を筒体の対向両面に形成されていてガイド用の窪み内に嵌め込まれている突部軸間に係入させ得るようにしておくとよい。
このようにしておくと、二つ割りである筒体の外側に位置する腕を持ち上げることにより、ガイド用の窪みの内壁面の一部に形成されている突出部が、二つ割りの筒体の対向両面に形成されていて前記ガイド用の窪み内に嵌め込まれている突部軸間に係入せしめられ、支柱ｂに装着されている二つ割りの筒体が押し広げられ、支柱ｂとの間に隙間が生じる。したがって、支柱ｂに装着されている二つ割りの半筒体を支柱ｂに沿って軽く上下動させることができる。
【００２６】
垂直方向の支柱ｂとこの支柱ｂに抱き合わせるように装着させ得る筒体の内周面を横断面真円形とし、前記筒体と前記筒体の一部で支えられる腰掛座１とを、前記支柱ｂに対して回動自在としておくとよい。この場合には、支柱ｂに対する腰掛座１の取付位置を平面的に変えることができる。したがって、腰掛座１を回動させ得る範囲内で支柱ｂに対する腰掛座１の取付位置を自由に変えることができ、いろんな面で便利である。
【００２７】
垂直方向の支柱ｂの設置状態として、例えば、図５及び図１３に示すように、家屋の柱があるところでは、その柱Ｆの壁面に直接支柱ｂを取り付け、この支柱ｂに腰掛Ａ，Ｂを取り付ければよい。また、例えば、図６及び図１４に示すように、家屋の柱Ｆと柱Ｆ間の壁面に横方向に渡し掛けた歩行補助手すりＧにＴ型ジョイントその他の接続具Ｈを用いて支柱ｂを接続し、しかも、支柱ｂの下端を壁面Ｃもしくは床面Ｄに固定してこの支柱ｂに腰掛Ａ，Ｂを取り付けてもよい。この場合には、柱Ｆのない任意の位置にも腰掛Ａ，Ｂを設置できるので、極めて都合がよい。そして、歩行補助手すりＧを伝いながら歩いてきて腰掛Ａ，Ｂを開いて座ることができ、また、立ち上がるときは、歩行補助手すりＧを持って立ち上がれるので、極めて便利である。
【００２８】
【発明の実施の形態】
本発明の好ましい実施の形態について、図面を参照しながら詳細に説明する。本発明の腰掛は、屋内である部屋や階段の壁、玄関先その他の場所に配置されている一本の手すりや歩行補助手すり、または、連続手すりなどの垂直方向の支柱に、あるいは、公園、駅、バスの停留所その他の公共施設など屋外に配置されている各種の手すりの垂直方向の支柱に、簡単に取り付けることができるようにしたものである。
ここには、図５及び図１３に示すように、家屋の柱があるところでは、その柱Ｆの壁面に直接支柱ｂを取り付け、この支柱ｂに腰掛を取り付けた場合と、図６及び図１４に示すように、家屋の柱Ｆと柱Ｆ間の壁面に横方向に渡し掛けた歩行補助手すりＧにＴ型ジョイントその他の接続具を用いて支柱ｂを接続し、しかも、支柱ｂの下端を壁面Ｃもしくは床面Ｄに固定してこの支柱ｂに取り付けることができるようにした場合、いわゆるインテリア腰掛に本発明を適用した場合を例示する。このような場合と同じように、屋外に配置されている各種の手すりの垂直方向の支柱にも取り付けることができる。
【００２９】
垂直方向の支柱ｂに片持ち形式で、しかも、不使用時（収納時）と使用時との間で前記支柱ｂに対して起倒自在に腰掛座１を取り付けるとともに、少なくとも着座時においてこの腰掛座１を前記支柱ｂに片持ち支持させることができるようにするためには、図１あるいは図７に示す場合を挙げることができる。図１、図７に示す場合には、少なくとも着座時においてこの腰掛座１を前記支柱ｂに片持ち支持させ得る手段として、前記支柱ｂに抱き合わせるように筒体を装着し、前記支柱ｂで腰掛座１の荷重を直接支えるのではなく、この支柱ｂに装着されている前記筒体の一部で腰掛座１の荷重を支えるようにしたものである。
【００３０】
図１は、筒体が左右二つ割りになっており、しかも、左右二つ割りの筒体が内筒２，２とこの内筒２，２を抱くように装着させ得る外筒３，３とからなる場合の一例を示す。図２にそれらを抱き合わせた状態を詳しく示す。外筒３，３は正面外突弧状に膨らんでおり、外突弧状のこの外周面上を腰掛座１から延び出させた平面横Ｕ字状の腕４が摺動できるようになっている。そして、図３（ｂ）に示すように、左右二つ割りの内筒２，２側の二つ割り位置２ａと左右二つ割りの外筒３，３側の二つ割り位置３ａとを左右方向にずらせてある。
なお、左右二つ割りの外筒３，３の外周面には、正面側と背面側において腕４の回転中心としての突軸３ｂ，３ｂが形成されており、図３に示すように、腕４はこれら一対の突軸３ｂ，３ｂを中心として外突弧状の外筒３，３の外周面上を摺動することができる。
【００３１】
この場合には、外突弧状の外筒３，３の外周面上を摺動させ得る腕４を介して前記外周面で腰掛座１に掛かる荷重を支えることができる。すなわち、外突弧状の外筒３，３の外周面上を摺動させ得る腕４を介して、着座時において片持ち形式の腰掛座１に掛かる力を前記外筒３，３の外周面で支えることができる。したがって、腰掛座１に座っても腰掛座１が滑り落ちることがなく、その使用に何ら支障はない。
図１（ａ），（ｂ）及び図３の実線で示す場合が腰掛座１を倒した使用時の状態である。そして、腰掛座１に掛かる荷重を左右二つ割りの内筒２，２とこの内筒２，２を抱くように装着されている外筒３，３とに分散させて支えることができ、一点に荷重が掛かるのを防止できるのみならず、左右二つ割りである内筒２，２と外筒３，３とがいずれも外れにくいものとなる。
不使用時には、図１（ｃ）及び図３の二点鎖線で示すように、腰掛座１を起して折り畳んで収納しておくことができるから、極めて便利である。なお、図３の一点鎖線が支柱ｂに対して腰掛座１を上下いずれかの方向に高さ調整する時の状態を示す。
【００３２】
左右二つ割りの内筒２，２とこの内筒２，２に抱き合わせるように装着させ得る左右二つ割りの外筒３，３のうち、少なくとも支柱ｂと当接する内筒２，２は粘着性を有する材料、例えば、ウレタンゴムで形成されている。これに対して、左右二つ割りの外筒３，３は例えば合成樹脂製とすることができる。
このように、支柱ｂと当接する内筒２，２が粘着性を有する材料で形成されている場合には、支柱ｂに左右二つ割りの内筒２，２が密着しやすくなり、それだけ滑りにくくすることができる。
【００３３】
図１に示す腰掛Ａの場合には、図４に示すように、あらかじめ設置されている垂直方向の支柱ｂに後付け可能である。例えば、図４（ａ）に示すように、まず、左右二つ割りの内筒２，２と左右二つ割りの外筒３，３を支柱ｂの左右両側から支柱ｂに装着し（装着後の状態を、図４（ｂ）に示す）、次いで、図４（ｃ）に示すように、組み立てた筒体に支柱ｂの片側（右側）から平面横Ｕ字状の腕４を嵌め込む。そして、支柱ｂの反対側（左側）から取付座５を嵌め込むとともに、取付座５の溝５ａに腰掛座１の座板を差し込み、腕４の腕先端と取付座５と腰掛座１の座板とをボルトで締結する。
このようにすると、図４（ｄ）に示すように、あらかじめ設置されている垂直方向の支柱ｂに腰掛Ａを後付けできる。この後付けが可能となったのは、支柱ｂに抱き合わせるように装着させ得る筒体を二つ割りとし、これに沿うように腰掛座１を保持させるための腕４の形に工夫を凝らしたことによるものである。
【００３４】
一方、図７は、方形状の筒体が左右二つ割りになっており、腰掛座１の座板を固定し得る取付座１１の一対の腕１１ａ、１１ａを左右二つ割りの筒体１０，１０に沿わせて配置した場合の一例を示す。
左右二つ割りの筒体１０，１０の正面側と背面側である対向両外面には、図８，図９に示すように、正面側と背面側で１組となる円弧状のガイド溝１０ａ，１０ａが左右に対称的に形成されており、その所定位置には内側に突出するカム面１０ｂ，１０ｂが形成されている。
そして、前記一対の腕１１ａ、１１ａの対向両内面には、左右のガイド溝１０ａ，１０ａに嵌合させることができるとともに、その中を摺動させ得る突起１１ｂ，１１ｂが正面側と背面側で１組となるようにそれぞれ形成されている。また、前記各カム面１０ｂ，１０ｂには、図１０（ｂ）に拡大して示すように、各突起１１ｂ，１１ｂが嵌まる窪み１０ｂ’，１０ｂ’がそれぞれ形成されている。
【００３５】
一方、左右二つ割りの筒体１０，１０の正面側と背面側である対向両面には、左右２本の前記ガイド溝１０ａ，１０ａより内側において一対の前記腕１１ａ，１１ａの回転中心としての突部軸１０ｃ，１０ｃが左右対称的にそれぞれ形成されている。また、一対の前記腕１１ａ，１１ａの対向両内面には、前記各突部軸１０ｂ，１０ｂが嵌まり得るガイド用の窪み１１ｃ、１１ｃが形成されている。そして、この窪み１１ｃ、１１ｃ内に前記腕１１ａ，１１ａの回転中心としての突部軸１０ｃ，１０ｃが嵌め込まれている。
【００３６】
この場合には、円弧状のガイド溝１０ａ，１０ａに嵌合されていてその中を摺動させ得る突起１１ｂ，１１ｂを有する腰掛座１の腕１１ａ，１１ａを介して円弧状のガイド溝１０ａ，１０ａで腰掛座１に掛かる荷重を支えることができる。すなわち、腰掛座１に掛かる荷重を上述したように支柱ｂで直接支えるのではなく、腰掛座１の腕１１ａに形成されている突起１１ｂ，１１ｂが嵌まっている円弧状のガイド溝１０ａ，１０ａで支えることができる。したがって、腰掛座１に座っても腰掛座１がずれることがなく、その使用に何ら支障はない。図７（ａ），（ｂ）、図８（ａ），（ｂ）、及び図９（ａ）に示す場合が腰掛座を倒した使用時の状態である。
不使用時には、図７（ｃ）及び図９（ｃ）に示すように、腰掛座１を起して折り畳んで収納しておくことができるから、極めて便利である。なお、図９（ｂ）が支柱ｂに対して腰掛座１を上下いずれかの方向に高さ調整する時の状態を示す。
【００３７】
図９，図１０に、正面側と背面側で１組となる左右２本の円弧状のガイド溝１０ａ，１０ａと各ガイド溝１０ａ，１０ａに嵌合されていてその中を摺動させ得る各突起１１ｂ，１１ｂ、２つの突起１１ｂ，１１ｂを有する一対の腕１１ａ，１１ａ、ならびに、一対の腕１１ａ，１１ａを有する取付座１１に保持されている腰掛座１との関係、及び、一対の腕１１ａ，１１ａの回転中心としての左右一対の突部軸１０ｃ，１０ｃと両突軸１０ｃ，１０ｃが嵌まり得るガイド用の窪み１１ｃとの関係を詳細に示す。
図９（ａ）に、腰掛座１を倒した状態、すなわち、腰掛座１が水平状態の場合を示す。この場合には、一対の腕１１ａ，１１ａの対向両内面に形成されていて正面側と背面側で１組となる突起１１ｂ，１１ｂは、図９（ａ）及び図１０（ａ）に示すように、二つ割りの筒体１０，１０に形成されている左右２本の円弧状のガイド溝１０ａ，１０ａの上端と下端である終端部にいずれも位置し、腰掛座１に掛かる荷重を図１０（ａ）の矢印で示すように左右２本のガイド溝１０ａ，１０ａの終端部で支えることができる。
【００３８】
図９（ａ）の状態から腰掛座１を折り畳んで行くと、二つ割りの筒体１０，１０に形成されている円弧状のガイド溝１０ａ，１０ａ内を突起１１ｂ，１１ｂが摺動し、図９（ｂ），図１０（ｂ）の位置にくる。このとき、円弧状のガイド溝１０ａ，１０ａ内を摺動する突起１１ｂ，１１ｂが、図１０（ｂ）の矢印で示すように、円弧状のガイド溝１０ａ，１０ａに形成されているカム面１０ｂ，１０ｂを押すから、二つ割りの筒体１０，１０は垂直方向の支柱ｂに対して外方向にわずかに押し広げられ、支柱ｂとの間に隙間が生じる。したがって、この姿勢のままで二つ割りの筒体１０，１０を支柱ｂに沿って上下いずれかの方向に移動させることができる。すなわち、腰掛座１の上下方向の位置（高さ）調整を行うことができる。
弧状のガイド溝１０ａ，１０ａ内を摺動する突起１１ｂ，１１ｂと内側に突出するカム面１０ｂとが係合したとき、各突起１１ｂ，１１ｂがカム面１０ｂ，１０ｂに形成されている窪み１０ｂ’，１０ｂ’の位置で一旦腕１１ａ，１１ａが止まるから、折り畳み（収納）途中及び倒す途中のその位置で腰掛座１がβ傾いた状態（図１０（ｂ）参照）を保持できる。
【００３９】
図９（ｂ）の状態から図９（ｃ）に示すように腰掛座１をさらに起こす（折り畳む）と、腕１１ａ，１１ａの動きに応じて二つ割りの筒体１０，１０に形成されている円弧状のガイド溝１０ａ，１０ａ内を突起１１ｂ，１１ｂが摺動し、図９（ｃ），図１０（ｃ）に示すように、一方の突起１１ｂは一方の円弧状のガイド溝１０ａの下端である始端部に、また、他方の突起１１ｂは他方の円弧状のガイド溝１０ａの途中に位置し、腰掛座１を垂直状態に保持することができる。このとき、図１０（ｃ）の矢印で示すように、一方の突起１１ｂは一方の円弧状のガイド溝１０ａの壁面に係合するとともに、ガイド用の窪み１１ｃの周壁と腕１１ａの回転中心としての突部軸１０ｃの一部とを係合させることができる。したがって、折り畳んだ状態の腰掛座１が倒れてくるのを防止できるとともに、折り畳んだ状態を保持できる。
なお、腰掛座１を起こした不使用時（収納時）の状態から腰掛座１を倒した使用時の場合においては、上述した場合と逆の動きを取り、最終的には図７（ｂ），図８（ｂ），図９（ａ）に示すように腰掛座１を水平に倒した状態となる。
【００４０】
図９（ａ），図１０（ａ）及び図９（ｃ），図１０（ｃ）に示す場合には、一対の腕１１ａ，１１ａに形成されている突起１１ｂ，１１ｂが左右２本の円弧状のガイド溝１０ａ，１０ａの面を各図の矢印で示す方向に押すから、二つ割りの筒体１０，１０には、その対向両外面に形成されている一対の突部軸１０ｃ，１０ｃの間隔が狭まる方向に力が掛かっている。したがって、腰掛座１が自重で支柱ｂに沿って滑り落ちることがない。
なお、図８（ｂ）及び図９（ａ）〜（ｃ）に示すように、二つ割りの筒体１０，１０の対向両外面に形成されている左右で１組の突部軸１０ｃ，１０ｃには、支柱ｂに抱き合わせるように装着されている左右の筒体１０，１０を締め付ける方向の力を付与するためのバネ１２が配置されている。このバネ１２の引張力によって、二つ割りの筒体１０，１０には締め付ける方向の力が付与されるから、腰掛座１の自重で二つ割りの筒体１０，１０が支柱ｂに沿って滑り落ちることはない。
【００４１】
左右二つ割りの筒体１０，１０のうち少なくとも支柱ｂの装着と周面と当接する部分には、粘着性を有する材料、例えば、ウレタンゴムが内装されている。このように、支柱ｂと当接する部分が粘着性を有する材料で形成されている場合には、支柱ｂに左右二つ割りの筒体１０，１０が密着しやすくなり、それだけ滑りにくくすることができる。
【００４２】
図７に示す腰掛Ｂの場合にも、図１２に示すように、あらかじめ設置されている垂直方向の支柱ｂに後付け可能である。例えば、図１２（ａ）に示すように、まず、左右二つ割りの筒体１０，１０を支柱ｂの左右両側から支柱ｂに装着するとともに、左右で１組の突部軸１０ｃ，１０ｃにバネ１２，１２を配置して両筒体１０，１０を組み立て（組立後の状態を、図１２（ｂ）に示す）、次いで、図１２（ｃ）に示すように、組み立てた筒体に支柱ｂの片側（図の右側）から腰掛座１の座板を固定し得る取付座１１から延び出ている一対の腕１１ａ、１１ａを嵌め込む。そして、支柱ｂの反対側（左側）から取付座１１の溝１１ｄに腰掛座１の座板を差し込み、取付座１１と腰掛座１の座板とをボルトで締結する。
このようにすると、図１２（ｄ）に示すように、あらかじめ設置されている垂直方向の支柱ｂに腰掛Ｂを後付けできる。この後付けが可能となったのは、支柱ｂに抱き合わせるように装着させ得る筒体を二つ割りとし、これに沿うように腰掛座１を保持させるための腕１１ａの形に工夫を凝らしたことによるものである。
【００４３】
図１１に、図９，図１０に示す場合とは異なる機構を示す。図９，図１０では、正面側と背面側で１組となる左右２本の円弧状のガイド溝１０ａ，１０ａに、内側に突出するカム面１０ｂ，１０ｂを形成しておき、腰掛座１をβだけ傾けて円弧状のガイド溝１０ａ，１０ａ内を摺動する突起１１ｂ，１１ｂが前記カム面１０ｂ，１０ｂを押すことによって腰掛座１の上下調整を可能ならしめたが、図１１では、腰掛座１を垂直に持ち上げることにより腰掛座１の上下調整を可能ならしめる場合を例示する。
正面側と背面側で１組となる左右２本の円弧状のガイド溝１０ａ，１０ａには、図９，図１０に示す場合のようなカム面がなく、一対の腕１１ａ，１１ａの回転中心としての左右一対の軸１０ｂ，１０ｂが嵌まり得るガイド用の窪み１１ｃの内壁面の一部を内方に突出させた点が、図９，図１０に示す場合と異なっている。
【００４４】
腰掛座１が倒された状態、すなわち、腰掛座１が水平状態（使用時）の場合には、一対の腕１１ａ，１１ａの対向両内面に形成されていて正面側と背面側で１組となる突起１１ｂ，１１ｂは、図１１（ａ）に示すように、二つ割りの筒体１０，１０に形成されている左右２本の円弧状のガイド溝１０ａ，１０ａの上端と下端である終端部にいずれも位置し、腰掛座１に掛かる荷重を図９（ａ）の矢印で示すように左右２本のガイド溝１０ａ，１０ａの終端部で支えることができる。この点は、図９，図１０に示す場合と同じである。
【００４５】
腰掛座１が水平の状態から折り畳んで垂直の状態にすると、一対の腕１１ａ，１１ａが動いてその対向両内面に形成されていて左右２本の円弧状のガイド溝１０ａ，１０ａ内を摺動する突起１１ｂ，１１ｂは、図１１（ｂ）の点線で示す位置に来る。
この時、腰掛座１を垂直に持ち上げると、図１１（ｂ）に拡大して示すように、ガイド用の窪み１１ｃの内壁面の一部に形成されている突出部１１ｅが左右一対の突部軸１０ｃ，１０ｃ間に係入せしめられて押し広げられ、左右一対の突部軸１０ｃ，１０ｃ間の間隔ｗ’が今までの間隔ｗより大きくなる。したがって、支柱ｂとの間に隙間が生じ、この姿勢のままで二つ割の筒体１０，１０を支柱ｂに沿って上下いずれかの方向に移動させることができる。すなわち、腰掛座１の上下方向の位置（高さ）調整を行うことができる。
このように、図１１に示す機構を備えた腰掛でも、図９，図１０に示す場合と同じように、腰掛座１の上下方向の位置（高さ）調整を行うことができる。図１１に示す機構を備えた場合では、高さ調整するときだけ、腰掛座１を垂直に持ち上げればよい。
【００４６】
以上述べたように、垂直方向の支柱ｂに片持ち形式で、しかも、不使用時（収納時）と使用時との間で前記支柱ｂに対して起倒自在に腰掛Ａ，Ｂを取り付けることができる。そして、使用時に腰掛座１を倒せば、少なくとも腰掛座１を支柱ｂに片持ち支持させることができ、その上に着座することができる。腰掛座１に掛かる荷重は、支柱ｂに装着されている筒体の一部で支えることができる。また、支柱ｂに装着されている筒体の外周面上を腰掛座１の腕が摺動するように設計できるから、腰掛座１を起こして折り畳む際に手指を詰める危険もない。
一方、支柱ｂに対して腰掛Ａ，Ｂの高さを自由に調整することができる。すなわち、腰掛Ａ，Ｂを所定の高さに調整するには、腰掛座１を所定角度傾けるか、あるいは、垂直に持ち上げ、支柱ｂに沿ってスライドさせればよい。この調整により、支柱ｂに対する腰掛Ａ，Ｂの高さを自由に変更できる。そして、その位置で少なくとも腰掛座１を支柱ｂに片持ち支持させることができる。
腰掛座１は各種の手すりや歩行補助手すり、または、連続手すりなどの垂直方向の支柱ｂに取り付けることができるが、極端な場合には、例えば机の足のようなものに取り付けることもできる。
【００４７】
垂直方向の支柱ｂとこの支柱ｂに抱き合わせるように装着させ得る二つ割りの筒体１０，１０の内周面を横断面真円形とし、前記筒体１０，１０と前記筒体１０，１０の一部で支えられる腰掛座１とを、前記支柱ｂに対して回動自在としておくとよい。この場合には、支柱ｂに対する腰掛座１の取付位置を平面的に変えることができる。したがって、腰掛座１を回動させ得る範囲内で支柱ｂに対する腰掛座１の取付位置を自由に変えることができ、いろんな面で便利である。
【００４８】
腰掛座１は、木製のほか金属製、あるいは、プラスチックス製などとすることができる。デザイン性を高めるために、種々の形にしたり、カラフルなものとすることもできる。図示はしないが、前記取付座１１からループ状にコイルばねを配置し、その間に布その他のシート状のものを渡し掛け、それを腰掛座１として用いることもできる。
【００４９】
一方、図示はしないが、腰掛座１に回転座を設けておくとよい。回転座が設けられていると、座ったままで身体の方向転換ができるので、例えば、座ったまま靴を取り出せるなど、いろんな面で便利である。なお、図示はしないが、この方式以外にも例えば腰掛座１に軸受を嵌め込んでおき、回転座の中心から下方に向けて突出させてある回転軸をこの軸受で受けるなどすれば、回転座を腰掛座１に対して回転させることができる。
腰掛座１は、図面に示すような変形丸型としたり、丸型としてもよく、また、角型としてもよい。その形は自由である。
【００５０】
また、図示はしないが、腰掛座１を垂直方向の支柱ｂに対してその右側に、あるいは、その左側に位置させ得るように前記腕４，１１ａの延び出させ方を工夫するとよい。このようにした場合には、垂直方向の支柱ｂに対してその右側（いわゆる右勝手）に、あるいは、垂直方向の支柱ｂに対してその左側（いわゆる左勝手）に腰掛座１を位置させることができる。したがって、設置場所が制限されていて、例えば、垂直方向の支柱ｂに対してその右側にしか腰掛座１を設置できない場合やその逆の場合にも、十分対応できる。
【００５１】
図５及び図１３に示すように、家屋の柱があるところでは、その柱Ｆの壁面に直接支柱ｂを取り付け、この支柱ｂに腰掛ＡあるいはＢを取り付けることができる。また、図６あるいは図１３に示すように、垂直方向の支柱ｂの設置状態として、例えば、家屋の柱Ｆと柱Ｆ間の壁面に横方向に渡し掛けた歩行補助手すりＧにＴ型ジョイントその他の接続具Ｈを用いて支柱ｂを接続し、しかも、支柱ｂの下端を壁面Ｃもしくは床面Ｄに固定してこの支柱ｂに腰掛ＡあるいはＢを取り付けてもよい。通常、垂直方向の支柱ｂは何かに固定しなければならず、家屋の柱のないところに支柱ｂを配置できないが、家屋の柱Ｆと柱Ｆ間の壁面に横方向に歩行補助手すりＧを渡し掛け、この歩行補助手すりＧにＴ型ジョイントその他の接続具Ｈを用いて支柱ｂを接続し、しかも、支柱ｂの下端を壁面Ｃもしくは床面Ｄに固定しておけば、柱Ｆのない任意の位置にも腰掛ＡあるいはＢを設置できるので、極めて都合がよい。そして、歩行補助手すりＧを伝いながら歩いてきて腰掛ＡあるいはＢを開いて座ることができ、また、立ち上がるときは、歩行補助手すりＧを持って立ち上がれるので、極めて便利である。
【００５２】
なお、本発明の腰掛は、支柱に対する高さ調整、不使用時における折り畳み状態と使用時における着座状態との間での姿勢変更、平面的な回動（水平方向の回転）の機能を有するので、様々な用途に利用できる。例えば、テーブルの脚に子供用の腰掛座や物置台としての座板を取り付けたり、壁に沿わせて垂直方向に支柱を設置し、小物置台としての座板を取り付けて、インテリアとすることができる。また、現状のキッチン、洗面、風呂などでの網棚（横棒式）を縦棒式とし、それに網棚の荷重支持用として本発明の機構を組み込んでもよい。台所シンクの吸水カランに使用したり、浴室内に縦棒を設置してシャワーの受台として利用したり、あるいは、駅、公衆トイレ、書斎その他の所で物置台やテーブルとして利用する場合などを挙げることができる。
【００５３】
【発明の効果】
請求項１記載の発明によれば、屋内、屋外の各種の手すりの垂直方向の支柱ｂに片持ち形式で腰掛座１を容易に取り付けることができる。また、全体として極めて簡単な構造のものとすることができる。そして、少なくとも着座時において、腰掛座１を片持ち支持でき、腰掛座１に座っても腰掛座１が滑り落ちることがなく、その使用に何ら支障はない。不使用時には、腰掛座１を起して折り畳んで収納しておくことができる。特に、腰掛座１に掛かる荷重は、支柱ｂで直接支えるのではなく、支柱ｂに抱き合わせるように装着されている筒体の一部で支えることができる。また、支柱ｂに装着されている筒体の外周面上を腰掛座１の腕が摺動するように設計できるから、腰掛座１を起こして折り畳む際に手指をはさむ危険もない。
【００５４】
請求項２記載の発明によれば、左右二つ割りの半筒体で受圧面積を大きくして腰掛座１の荷重が一点に掛かるのを軽減できる。
【００５５】
請求項３記載の発明によれば、腰掛座１に掛かる荷重を支柱ｂで直接支えるのではなく、腕が摺動する筒体の外突弧状の外周面で支えることができる。
【００５６】
請求項４記載の発明によれば、腰掛座１に掛かる荷重を支柱ｂで直接支えるのではなく、腰掛座の腕に形成されている突起が嵌まっている円弧状のガイド溝で支えることができる。そして、この場合には、腰掛座の腕と支柱ｂに装着されている筒体との摺動機構が筒内にあるため、腰掛座の腕が動いても手指をはさむのを完全に防止できる。
【００５７】
請求項５記載の発明によれば、支柱ｂに筒体が密着しやすくなり、それだけ滑りにくくすることができる。
【００５８】
請求項６記載の発明によれば、腰掛座１に掛かる荷重を内筒とこの内筒に抱き合わせるように装着されている外筒とに分散させて支えることができ、左右二つ割りである内筒と外筒とがいずれも外れにくいものとなる。
【００５９】
請求項７記載の発明によれば、バネの引張力によって両筒体に締め付ける方向の力が付与されるから、両筒体の一部で支えられる腰掛座１が支柱ｂに沿って自重で滑り落ちることがない。
【００６０】
請求項８記載の発明によれば、円弧状のガイド溝内を摺動する突起を有する腕を動かすことにより、前記突起が内側に突出するカム面を押すから、支柱ｂに装着されている二つ割りの半筒体が押し広げられ、支柱ｂとの間に隙間が生じるから、支柱ｂに装着されている二つ割りの半筒体を支柱ｂに沿って軽く上下動させることができる。
【００６１】
請求項９記載の発明によれば、円弧状のガイド溝に沿って腕を動かしたとき、カム面に形成されている窪みの位置で一旦腕が止まり、折り畳み（収納）途中及び倒す途中のその位置で腰掛座が傾いた状態を保持できるので、上下動させるのに都合がよい。
【００６２】
請求項１０記載の発明によれば、ガイド用の窪みの周壁と突部軸の一部とを、また、円弧状のガイド溝の外周面とその中を摺動する突起とを係合させることができるから、折り畳んだ状態の腰掛座が倒れてくるのを防止できるとともに、折り畳んだ状態を保持できる。
【００６３】
請求項１１記載の発明によれば、二つ割りである筒体の外側に位置する腕を持ち上げることにより、ガイド用の窪みの内壁面の一部に形成されている突出部が、二つ割りの筒体の対向両面に形成されていて前記ガイド用の窪み内に嵌め込まれている突部軸間に係入せしめられ、支柱ｂに装着されている二つ割りの筒体が押し広げられ、支柱ｂとの間に隙間が生じるから、支柱ｂに装着されている二つ割りの半筒体を支柱ｂに沿って軽く上下動させることができる。
【００６４】
請求項１２記載の発明によれば、支柱ｂに対する腰掛座１の取付位置を平面的に変えることができるから、腰掛座１を回動させ得る範囲内で支柱ｂに対する腰掛座１の取付位置を自由に変えることができ、いろんな面で便利である。
【００６５】
請求項１３記載の発明によれば、柱Ｆのない任意の位置にも腰掛を設置できるので、極めて都合がよい。そして、歩行補助手すりＧを伝いながら歩いてきて腰掛Ａを開いて座ることができ、また、立ち上がるときは、歩行補助手すりＧを持って立ち上がれるので、極めて便利である。
【図面の簡単な説明】
【図１】少なくとも着座時において腰掛座を支柱に片持ち支持させ得る手段として、左右二つ割りの内筒とこの内筒を抱くように装着させ得る外筒とで筒体を形成し、垂直方向の支柱を抱くようにこの筒体を装着し、この筒体の一部で腰掛座に掛かる荷重を支えるようにした場合の一例を示す概略図で、（ａ）は着座可能な状態を示す平面図、（ｂ）はその場合の正面図、（ｃ）は不使用時（収納時）の状態を示す正面図である。
【図２】図１に示す左右二つ割りの内筒とこの内筒を抱くように装着させ得る外筒との組み合わせ状態を示す概略図で、（ａ）はその平面図、（ｂ）は正面図、（ｃ）は縦断面図、（ｄ）は（ａ）のＩ−Ｉ線断面図である。
【図３】図１に示す腰掛の動作を示す概略図である。
【図４】図１に示す腰掛を、あらかじめ設置されている支柱に後付けする場合の組立手順を示す平面図である。
【図５】家屋の柱のあるところにおいて、その柱の壁面に直接支柱を取り付け、この支柱に図１に示す腰掛を取り付けた状態を示す概略図で、（ａ）は正面図、（ｂ）はその側面図である。
【図６】家屋の柱と柱間の壁面に横方向に渡し掛けた歩行補助手すりにＴ型ジョイントその他の接続具を用いて支柱を接続し、しかも、支柱の下端を壁面もしくは床面に固定してこの支柱に図１に示す腰掛を取り付けた状態を示す概略図で、（ａ）は正面図、（ｂ）はその側面図である。
【図７】少なくとも着座時において腰掛座を支柱に片持ち支持させ得る手段として、左右二つ割りの筒体を垂直方向の支柱を抱くように装着し、この筒体に形成したガイド溝で腰掛座に掛かる荷重を支えるようにした場合の一例を示す概略図で、（ａ）は腰掛座を倒した使用時の状態を示す平面図、（ｂ）はその場合の正面図、（ｃ）は腰掛座を起した収納時（不使用時）の状態を示す正面図である。
【図８】図７に示す腰掛の主要部を示す簡略図で、（ａ）はその一部の拡大平面図、（ｂ）はその正面図である。
【図９】図７，図８に示す腰掛の動作を示す概略図で、（ａ）は腰掛座を倒した使用時の場合を、（ｂ）は腰掛座を所定角度傾斜させた場合を、（ｃ）は腰掛座を起した収納時（不使用時）の場合を示す。
【図１０】図９（ａ），（ｂ），（ｃ）の場合におけるガイド溝とその中に嵌合せしめられている突起との位置関係、及び、左右一対の突部軸と各突部軸が嵌まり得るガイド用の窪みとの位置関係を示す動作図である。
【図１１】図１０に示す場合とは異なる機構を示す動作図で、（ａ）は腰掛座を倒した使用時の場合を、（ｂ）は腰掛座を垂直に持ち上げた場合を、（ｃ）は腰掛座を起した収納時（不使用時）の場合を示す。
【図１２】図７に示す腰掛を、あらかじめ設置されている支柱に後付けする場合の組立手順を示す平面図である。
【図１３】家屋の柱のあるところにおいて、その柱の壁面に直接支柱を取り付け、この支柱に図７に示す腰掛を取り付けた状態を示す概略図で、（ａ）は正面図、（ｂ）はその側面図である。
【図１４】家屋の柱と柱間の壁面に横方向に渡し掛けた歩行補助手すりにＴ型ジョイントその他の接続具を用いて支柱を接続し、しかも、支柱の下端を壁面もしくは床面に固定してこの支柱に図７に示す腰掛を取り付けた状態を示す概略図で、（ａ）は正面図、（ｂ）はその側面図である。
【図１５】少なくとも着座時において、腰掛座を支柱に片持ち支持させるための従来の基本原理を示す概略図である。
【符号の説明】
１…腰掛座、２…内筒、３…外筒、２ａ，３ａ…二つ割りの位置、３ｂ…突軸、４…腕、５…取付座、１０…筒体、１０ａ…ガイド溝、１０ｂ…カム面、１０ｂ’…窪み、１０ｃ…突部軸、１１…取付座、１１ａ…腕、１１ｂ…突起、１１ｃ…ガイド用の窪み、１１ｅ…突出部１２…バネ、Ａ，Ｂ…腰掛、ｂ…支柱、Ｃ…壁面、Ｄ…床面、Ｆ…柱、Ｇ…歩行補助手すり、Ｈ…接続具。
【図１】
2004357854.tif 000003
【図２】
2004357854.tif 000004
【図３】
2004357854.tif 000005
【図４】
2004357854.tif 000006
【図５】
2004357854.tif 000007
【図６】
2004357854.tif 000008
【図７】
2004357854.tif 000009
【図８】
2004357854.tif 000010
【図９】
2004357854.tif 000011
【図１０】
2004357854.tif 000012
【図１１】
2004357854.tif 000013
【図１２】
2004357854.tif 000014
【図１３】
2004357854.tif 000015
【図１４】
2004357854.tif 000016
【図１５】
2004357854.tif 000017